(57)【特許請求の範囲】
【請求項１】
コンクリート型枠の下面を支持する門型支持脚と、この門型支持脚を着脱可能に支持する支持部を有した載置板とを備えたコンクリート型枠用の支持具であって、
前記支持部を、前記載置板の両側に最初に形成した内側折り部、及びその上の外側折り部を少なくとも有した折曲側部と、この折曲側部に形成されて、前記門型支持脚の下部が挿入される開口とにより構成するとともに、
前記門型支持脚の下部に取付脚をそれぞれ設け、これら各取付脚を、前記門型支持脚に対してそれぞれ直交し、かつ全体が前記各内側折り部内に包み込まれるように互いに反対方向に折曲させたことを特徴とするコンクリート型枠用の支持具。
【発明の詳細な説明】
【技術分野】
【０００１】
本発明は、コンクリート型枠を支持するための支持具に関するものである。
【背景技術】
【０００２】
種々な基礎を構築する場合には、型枠を組立てて、コンクリートを流し込む空間を確保しなければならないが、このコンクリート型枠は種々な手段によって設計通りの位置に保持させなければならない。このコンクリート型枠の保持に使用されるもの一つに、型枠の下側に配置されて、その上に型枠を載置して使用される支持具がある。
【０００３】
この種のコンクリート型枠用の支持具としては、出願人も、特許文献１の「コンクリート型枠用支持具」や特許文献２の「コンクリート型枠支持具」において、既に種々なものを提案してきている。
【特許文献１】特開平１０−７７７３９号公報、要約、代表図
【特許文献２】特開２００４−２７５１３号公報、要約、代表図
【発明の開示】
【発明が解決しようとする課題】
【０００４】
特許文献１にて提案している「コンクリート型枠用支持具」は、図７にも示すように、「コンクリート型枠用支持具は、底板１１と、一対の金属製の丸棒により形成された支持脚１２と、両支持脚１２を連結する支持杆１３とを備えている。一対の支持脚１２は横Ｕ字状に形成され、底部の固定部１２ａと、垂設された脚部１２ｂと、上部の受け部１２ｃとよりなる」ものであり、「部品点数を減らし、コンクリート型枠を設置するための作業を簡易かつ短時間に行うことができる」ものとなっているのである。
【０００５】
また、特許文献２にて提案している「コンクリート型枠支持具」は、図８にも示すように、「底板２上に支持脚３，３を備え、該支持脚３，３上にコンクリート型枠を載置する型枠載置部５を有したコンクリート型枠支持具１において、型枠載置部５は支持脚３，３に対して着脱可能となるように別体とした」ものであり、「鉄筋コンクリート基礎を施工する際に、鉄筋構造体の幅間隔が狭くなった場合においても使用することができる」ものである。
【０００６】
しかしながら、これらの何れの支持具も、一対の型枠を規格化された間隔で同時に支持するものであるため、一対の型枠間の寸法が異なれば、別の規格の支持具を使用しなければならなくなって、他種類のものを用意しておかなければならない。また、例えば、図６に示すような一枚の型枠３０のみを支持させたい場合には、この種の一対の型枠を支持する支持具は採用することができないことがある。
【０００７】
さらに、一対の型枠を支持するように構成したものでは、例えば、図９に示すように、鉄筋が既に組み込まれている場所では、この既設鉄筋が邪魔になって配設できないことになる。
【０００８】
特に、一対の型枠を支持するために、図７及び図８に示したような、大部分を一体的にしたものでは、非常に嵩張るものとなっており、複数種類のものを用意することは勿論、これを保管したり運搬したりすることが困難になっているのである。
【０００９】
そこで、本発明者等は、この種の支持具について、保管や運搬を簡単にすることができて、一つの型枠支持が行え、基礎の厚さの変更にも容易に対応できるようにするにはどうしたらよいか、について種々検討を重ねてきた結果、本発明を完成したのである。
【００１０】
すなわち、本発明の目的とするところは、分解可能な構造とすることによって、保管や運搬を簡単にすることができて、一つの型枠支持が行え、しかも基礎の厚さの変更にも容易に対応できる支持具を簡単な構成によって提供することにある。
【課題を解決するための手段】
【００１１】
以上の課題を解決するために、本発明の採った手段は、後述する最良形態の説明中で使用する符号を付して説明すると、
「コンクリート型枠３０の下面を支持する門型支持脚１１と、この門型支持脚１１を着脱可能に支持する支持部１３を有した載置板１２とを備えたコンクリート型枠３０用の支持具１０であって、
支持部１３を、載置板１２の両側に最初に形成した内側折り部１４ａ、及びその上の外側折り部１４ｂを少なくとも有した折曲側部１４と、この折曲側部１４に形成されて、門型支持脚１１の下部が挿入される開口１４ｃとにより構成するとともに、
門型支持脚１１の下部に取付脚１１ｂをそれぞれ設け、これら各取付脚１１ｂを、門型支持脚１１に対してそれぞれ直交し、かつ全体が各内側折り部１４ａ内に包み込まれるように互いに反対方向に折曲させたことを特徴とするコンクリート型枠３０用の支持具１０」
である。
【００１２】
すなわち、この支持具１０は、図２に示すように、支持部１１ａを有する門型支持脚１１と、支持部１３を有した載置板１２とを備えたものであり、これらの門型支持脚１１と載置板１２とは、載置板１２の支持部１３を使用して、図１に示すような状態に組み立てられるものである。換言すれば、当該支持具１０の保管や運搬は、これらの門型支持脚１１と載置板１２とを図２に示したような状態に分解しておけば、無駄な空間を発生させることなく行えるものとなっているのであり、当該支持具１０の複数の保管や運搬が容易に行えるのである。
【００１３】
この支持具１０を施工現場に運んだ後に、図１に示したように、載置板１２に門型支持脚１１を取り付けるのであるが、その際に載置板１２に形成してある支持部１３が使用される。この支持部１３としては、後述する請求項２の折曲側部１４を採用することができることは勿論であるが、載置板１２上に溶接した「筒状物」であっても、載置板１２自体を加工した「差込部」であってもよいものである。これらの「差込部」や「筒状物」、あるいは後述する折曲側部１４は、例えば図３に示すように、門型支持脚１１の下端や取付脚１１ｂを単に差し込むことによって、門型支持脚１１の載置板１２に対する取り付けを行うものである。
【００１４】
門型支持脚１１は、棒材を文字通り「門型」に折り曲げることにより簡単に形成されるものであり、２本の「脚」を有していて、これら２本の脚の上端は支持部１１ａによって連結されている。この支持部１１ａは、図１にも示したように、単に水平状のものにするのが最も簡単で、型枠３０の下面を安定的に支持することができて有利であるが、例えば、型枠３０の下面を支承する「凹み」を屈曲形成したものであってもよい。
【００１５】
また、この門型支持脚１１の各脚の下部には、当該門型支持脚１１を載置板１２側に取り付けるための取付脚１１ｂがそれぞれ形成してあるが、これら各取付脚１１ｂは、単なる直線状の棒材のままであってもよいし、例えば二股に分かれたものとしてもよい。何れにしても、各取付脚１１ｂの形状は、載置板１２側の支持部１３の形状に合ったものとされるものであり、例えば、図１に示したように、載置板１２と平行になるように折り曲げたり、あるいは後述する請求項３の支持具１０におけるように、その折り曲げ方向を反対に向けたりすることは自由である。
【００１６】
以上の門型支持脚１１が取り付けられるべき載置板１２は、門型支持脚１１の取付部である支持部１３を有している必要はあるが、その全体形状については問わないものである。例えば、図２〜図４に示した載置板１２は、概略四角形状のものであるが、台形や円形にして実施してもよいことは言うまでもないし、図１に示すように、取付穴１２ａを形成しておいて、この取付穴１２ａを利用して当該載置板１２の設置位置での固定を行えるようにしてもよい。
【００１７】
なお、この載置板１２については、図３にも示すように、上記取付穴１２ａの代わりにあるいはこれとともに、小切欠１２ｂやリブ１２ｃを設けて実施してもよいものである。小切欠１２ｂは、その対角線方向が、完成後の立ち上がり部２１の幅方向や長さ方向を概略的に示すものであり、その各角部にて、固定用のアンカーを打ち込むべき位置を示すものであるとともに、載置板１２全体の軽量化を積極的に図るものともなっている。一方、リブ１２ｃについては、載置板１２全体の剛性の確保を行うものであり、図示したような態様の他、種々な態様のものが考えられるが、いずれにしても、板材の鍛造によって形成できるようにするのが好ましい。
【００１８】
さて、以上のように構成した支持具１０は、施工現場に運ばれてきたときには、図２に示すように、門型支持脚１１と載置板１２とが分離された状態になっているから、この門型支持脚１１を載置板１２に取り付けて、図１に示すような状態にされる。このとき、図１に示したような状態に組み付けておいてから施工現場に設置してもよいが、まず、載置板１２のみを施工現場に位置決めして設置しておき、これに門型支持脚１１を取り付けるようにしてもよく、本発明の支持具１０は何れの方法も採用できる。
【００１９】
そして、この支持具１０は、その支持部１１ａ上に一つの型枠３０を載置して使用されるのであるから、二つの型枠３０の間に鉄筋が配置されていても、また、例えば図９に示したように、当該支持具１０を設置しようとした場所に既設鉄筋が存在していても、当該支持具１０の設置は、これらに邪魔されることなく行えるのである。特に、図９に示すように、当該支持具１０の中に鉄筋を通さなければならない場合には、この鉄筋の下側に載置板１２を設置した後に、これに門型支持脚１１を取り付けるようにすればよいことになって、当該支持具１０の設置作業は簡単に行えるのである。
【００２０】
勿論、この支持具１０は、一つの型枠３０に対して一つのものを使用するのであるから、図５あるいは図６に示すような施工が実施できるのである。つまり、基礎２０を狭い場所に構築しなければならない場合や、例えば基礎２０の立ち上がり部２１の幅が異なる場合、そして一つの型枠３０のみを支持したい場合の施工が自由に行えるのである。
【００２１】
また、この支持具１０は、型枠３０の支持すべき高さが異なっていても、これに応じた寸法の門型支持脚１１を選択するだけで、別の載置板１２を用意する必要がないから、この載置板１２を共通して使用することができるのである。
【００２２】
（作用効果の小括１）
従って、この支持具１０においては、配筋後であっても設置が簡単であるだけでなく、当該支持具１０内に配筋を通すこともでき、基礎２０の立ち上がり部２１の高さや幅が異なっても十分対応できるものとなっているのであり、分解できるものであるから、保管や運搬が容易に行えるだけでなく、立ち上がり部２１等の寸法変化に安価に対応できるものとなっているのである。
【００２３】
また、上記支持具１０については、その支持部１３は、載置板１２の両側を、少なくとも内側折り部１４ａと外側折り部１４ｂとによって形成した折曲側部１４と、この折曲側部１４に形成されて、門型支持脚１１の下部が挿入される開口１４ｃとにより構成してある。
【００２４】
すなわち、この支持具１０は、支持部１３を、図１〜図３に示すように、載置板１２の両側に折曲形成した折曲側部１４と、この折曲側部１４に形成した開口１４ｃとにより構成してある。
【００２５】
（作用効果の小括２）
ここで、折曲側部１４は、載置板１２を構成している板材を単に折曲して形成したものであるから、非常に簡単かつ安価に形成できるだけでなく、少なくとも、内側折り部１４ａと外側折り部１４ｂとを有したものであるから、これによって門型支持脚１１を支えるのに十分な剛性を有したものとなっている。勿論、この折曲側部１４は、さらに折り部を連続して形成するように実施してもよいが、その場合には折り方向が交互になるようにすると、折曲側部１４の上方から見た幅を一定にできるし、剛性を更に高めることができる。
【００２６】
（作用効果の小括３）
特に、載置板１２の両側に最初に形成される各内側折り部１４ａは、図１にも示したように、門型支持脚１１の各下部に形成した取付脚１１ｂが、後述するもののようにした場合に、これ全体を包み込むように支持することができるものとなるから、門型支持脚１１の取付及び支持にあたっては、非常に有効なものとなる。
【００２７】
以上のように剛性が高くなった折曲側部１４には、図１〜図３に示すように、開口１４ｃが形成されるが、この開口１４ｃは、載置板１２の両側に内側折り部１４ａや外側折り部１４ｂを形成する前の板材に対して打ち抜き加工などによって形成したものである。勿論、この開口１４ｃは、折曲側部１４に対する門型支持脚１１の各下部の挿入が行え、かつこの下部の固定が行える程度の大きさを有するものである。
【００２８】
以上の各折曲側部１４に対して門型支持脚１１を取り付けるには、門型支持脚１１の一方の下部を開口１４ｃ内に挿入しておいてから、この下部に向けて他の下部を押し込み、この下部を他方の開口１４ｃ内に挿入するのである。勿論、門型支持脚１１の両下部を互いに縮めながら、両開口１４ｃ内に同時に挿入するようにしてもよいが、何れにしても、これだけで門型支持脚１１の折曲側部１４に対する取付がなされることになる。
【００２９】
この取付に際して、門型支持脚１１の各下部に、後述する取付脚１１ｂが存在していない場合には、門型支持脚１１の各下端は載置板１２上に当接することになるし、当該支持具１０で支持しなければならない型枠３０は、門型支持脚１１の支持部１１ａ上に載置されることになる。このため、型枠３０の重力は、門型支持脚１１を介して載置板１２によってしっかりと支えられることになることから、当該支持具１０による型枠３０の支持は確実になされることになるのである。
【００３０】
（作用効果の小括４）
従って、この支持具１０は、門型支持脚１１の載置板１２に対する取付をより一層簡単に行えるものとなっているのである。
【００３１】
さらに、上記支持具１０については、各取付脚１１ｂを、門型支持脚１１に対してそれぞれ直交し、かつ互いに反対方向に折曲させてある。
【００３２】
すなわち、この支持具１０では、上述してきた各取付脚１１ｂを、図１〜図３に示すように、門型支持脚１１に対してそれぞれ直交し、かつ互いに反対方向に折曲させたのである。
【００３３】
（作用効果の小括５）
これにより、載置板１２に取り付けたときの門型支持脚１１は、各取付脚１１ｂの延在方向に対してしっかりと支持されることになり、かつ、各取付脚１１ｂが、図１にも示したように、内側折り部１４ａの中に入り込むから、結果的にこの門型支持脚１１の載置板１２に対する支持が高い強度でなされることになるのである。
【００３４】
（作用効果の小括６）
従って、この支持具１０は、門型支持脚１１の載置板１２に対する固定が確実に行えるものとなっているのである。
【発明の効果】
【００３５】
以上、説明した通り、本発明においては、
「コンクリート型枠３０の下面を支持する門型支持脚１１と、この門型支持脚１１を着脱可能に支持する支持部１３を有した載置板１２とを備えたコンクリート型枠３０用の支持具１０であって、
支持部１３を、載置板１２の両側に最初に形成した内側折り部１４ａ、及びその上の外側折り部１４ｂを少なくとも有した折曲側部１４と、この折曲側部１４に形成されて、門型支持脚１１の下部が挿入される開口１４ｃとにより構成するとともに、
門型支持脚１１の下部に取付脚１１ｂをそれぞれ設け、これら各取付脚１１ｂを、門型支持脚１１に対してそれぞれ直交し、かつ全体が各内側折り部１４ａ内に包み込まれるように互いに反対方向に折曲させたこと」
にその構成上の主たる特徴があり、これにより、分解可能な構造となって、保管や運搬を簡単にすることができるだけでなく、一つの型枠３０の支持が行えて基礎の立ち上がり部２１の厚さや幅変更に容易に対応できる支持具１０を簡単な構成によって提供することができるのである。
【００３６】
換言すれば、本発明に係るコンクリート型枠３０用の支持具１０によれば、配筋後であっても設置が簡単であるだけでなく、当該支持具１０内に配筋を通すこともでき、基礎２０の立ち上がり部２１の高さや幅が異なっても十分対応できるものとなっているのであり、分解できるものであるから、保管や運搬が容易に行えるだけでなく、立ち上がり部２１等の寸法変化に安価に対応できるものとなっているのである。以上を纏めると、本発明に係る支持具１０によれば、次の優れた効果を発揮するのである。
効果１：分解できるものであるから、配筋後であっても設置が簡単であるだけでなく、当該支持具１０内に配筋を通すこともできる。
効果２：分解できるものであるから、基礎２０の立ち上がり部２１の高さや幅が異なっても、門型支持脚１１を適した規格のものに交換するだけで、十分対応できる。
効果３：分解できるものであるから、保管や運搬が容易に行えるだけでなく、立ち上がり部２１等の寸法変化に安価に対応できる。
効果４：門型支持脚１１の載置板１２に対する取付をより一層簡単に行える。
効果５：内側折り部１４ａと外側折り部１４ｂとを有した折曲側部１４が門型支持脚１１を支えるのに十分な剛性を有したものとなっているから、門型支持脚１１の載置板１２に対する固定が確実に行える。
【発明を実施するための最良の形態】
【００３７】
次に、以上のように構成した各請求項に係る発明を、図面に示した最良の形態である支持具１０について説明するが、この最良形態に係る支持具１０は、上記各請求項に係る発明の全てを実質的に含むものであるから、以下では、この最良形態の支持具１０を中心に説明していくこととする。
【００３８】
さて、図１及び図２には、本発明に係る支持具１０が示してあるが、この支持具１０は、コンクリート型枠３０の下面を支持する支持部１１ａを有する門型支持脚１１と、この門型支持脚１１の下部にそれぞれ設けた取付脚１１ｂを着脱可能に支持する支持部１３を有した載置板１２とを備えたものである。
【００３９】
本最良形態の門型支持脚１１は、図１に示したように、文字通り「門型」のものであり、その左右の支柱部分の上端は、略水平状の支持部１１ａによって連結してある。要するに、この門型支持脚１１は、一本の棒材を折曲して形成したものであり、図２に示したように、各支柱部分の下部に各取付脚１１ｂをもそれぞれ折曲形成したものであって、後述する載置板１２に対して分離及び組み付けが簡単にできるものである。
【００４０】
本最良形態では、これら各取付脚１１ｂを、門型支持脚１１に対してそれぞれ直交し、かつ互いに反対方向に折曲させたものであり、これにより、当該門型支持脚１１の載置板１２に対する取付を簡単にできるようにし、かつこれらの取付脚１１ｂによって載置板１２に組み付けた門型支持脚１１の取付状態を確実なものとなるようにしているのである。
【００４１】
本最良形態に係る載置板１２は、一枚の板材を使用して、後述する折曲側部１４を折曲形成しながら形成されるものであり、支持部１３を有するものであるが、この支持部１３としては、載置板１２上に溶接した「筒状物」であっても、載置板１２自体を加工した「差込部」であってもよいものである。これらの「差込部」や「筒状物」、あるいは折曲側部１４は、門型支持脚１１の下端や取付脚１１ｂを単に差し込むことによって、門型支持脚１１の載置板１２に対する取り付けを行うものである。本最良形態では、この支持部１３は、載置板１２の両側を、少なくとも内側折り部１４ａと外側折り部１４ｂとによって形成した折曲側部１４と、この折曲側部１４に形成されて、門型支持脚１１の下部が挿入される開口１４ｃとにより構成してある。
【００４２】
すなわち、本最良形態に係る支持具１０は、支持部１３を、図１〜図３に示したように、載置板１２の両側に折曲形成した折曲側部１４と、この折曲側部１４に形成した開口１４ｃとにより構成したものである。
【００４３】
ここで、折曲側部１４は、載置板１２を構成している板材を単に折曲して、少なくとも内側折り部１４ａ及び外側折り部１４ｂを有するものとして形成したものであり、非常に簡単かつ安価に形成できるだけでなく、内側折り部１４ａと外側折り部１４ｂとによって門型支持脚１１を支えるのに十分な剛性を有したものとなっている。勿論、この折曲側部１４は、さらに折り部を連続して形成するように実施してもよい。
【００４４】
以上のように剛性が高くなった折曲側部１４には、図１〜図３に示したように、開口１４ｃが形成してあるが、この開口１４ｃは、載置板１２の両側に内側折り部１４ａや外側折り部１４ｂを形成する前の板材に対して打ち抜き加工などによって形成したものである。勿論、この開口１４ｃは、折曲側部１４に対する門型支持脚１１の各下部の挿入が行え、かつこの下部の固定が行える程度の大きさを有している。
【００４５】
以上のように構成した支持具１０は、図５または図６に示したようにして使用される。図５は、基礎２０の立ち上がり部２１を形成するために、この立ち上がり部２１となる空間を２枚の型枠３０によって形成する場合を示しており、この場合には、各型枠３０を支える２個の支持具１０が使用される。勿論、この立ち上がり部２１の幅に応じて各支持具１０は設置されるものであり、これらの支持具１０を構成している門型支持脚１１は、各型枠３０を支持するのに適した高さを有するものが選択されることは言うまでもない。
【００４６】
一方、図６は、基礎２０を構成しているベタ基礎２２の端部に立ち上がり部２１を形成する場合を示しているが、この場合には、立ち上がり部２１の外端に直接型枠３０を設置し、立ち上がり部２１の内側になる部分には、ベタ基礎２２内に埋設されることになる一つの支持具１０を使用して、一つの型枠３０が支持されるものである。この場合には、ベタ基礎２２の厚さに対応した高さを有する門型支持脚１１が採用される。
【図面の簡単な説明】
【００４７】
【図１】本発明に係る支持具の斜視図である。
【図２】同支持具を構成している門型支持脚と載置板とを分解して並べた状態の斜視図である。
【図３】同支持具の載置板の拡大平面図である。
【図４】同載置板を示すもので、（ａ）は拡大正面図、（ｂ）は拡大側面図である。
【図５】同支持具を２つ使用して２枚の型枠を支持している状態を示す断面図である。
【図６】同支持具を１つ使用して１枚の型枠を支持している状態を示す断面図である。
【図７】従来技術を示す断面図である。
【図８】従来の他の技術を示す分解斜視図である。
【図９】図８に示した支持具が既設鉄筋がある場合には使用できないことを示す斜視図である。
【符号の説明】
【００４８】
１０ 支持具
１１ 門型支持脚
１１ａ 支持部
１１ｂ 取付脚
１２ 載置板
１２ａ 取付穴
１２ｂ 小切欠
１２ｃ リブ
１３ 支持部
１４ 折曲側部
１４ａ 内側折り部
１４ｂ 外側折り部
１４ｃ 開口
２０ 基礎
２１ 立ち上がり部
２２ ベタ基礎
３０ 型枠
【図１】
0005270907.tif 000002
【図２】
0005270907.tif 000003
【図３】
0005270907.tif 000004
【図４】
0005270907.tif 000005
【図５】
0005270907.tif 000006
【図６】
0005270907.tif 000007
【図７】
0005270907.tif 000008
【図８】
0005270907.tif 000009
【図９】
0005270907.tif 000010